【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
サーバによって、画像に関連する情報へのアクセスを提供するための方法であって、
第１の画像情報と、登録情報と、第１の画像に関する関連情報とを第１のデバイスから受信することと、
前記第１の画像情報に関連する第１の特徴テンプレートと、前記登録情報と、前記第１の画像に関する前記関連情報とを記憶し相関付けることと、
第２の画像についての第２の特徴テンプレートと要求に対する信頼を確立するための情報を第２のデバイスから受信することと、ここにおいて、前記信頼を確立するための情報は前記第２のデバイスと関連する認証情報を備える、
前記第１の特徴テンプレートと前記第２の画像についての前記第２の特徴テンプレートとを比較することと、前記第１の特徴テンプレートがマッチングする特徴テンプレートであることを識別することと、
前記第１の特徴テンプレートが前記マッチングする特徴テンプレートであることを識別することに応答して、前記第１の特徴テンプレートに関する前記関連情報が前記第２のデバイスと共有され得るかどうかを決定することと、ここにおいて、前記決定することは、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較することを備える、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信することと、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記サーバによって、前記サーバが前記第１の特徴テンプレートが前記第２の特徴テンプレートに対する前記マッチングする特徴テンプレートであることを識別することを前記第１のデバイスに通知することと、
を備える、
方法。
【請求項２】
前記第２のデバイスと共有するために、前記第１の特徴テンプレートに関する前記関連情報の全部、または一部が使用可能であるか、あるいはいずれもが使用可能でないかを前記決定することは、前記関連情報の全部が前記認証情報と前記登録情報を比較することに少なくとも部分的に基づいて、前記第２のデバイスと共有するために使用可能であると決定することを備え、
前記アクセス指示を前記第２のデバイスに前記返信することは、前記明示的な肯定応答と前記第１の特徴テンプレートに関する前記関連情報の全部とを前記第２のデバイスに返信することを備える、請求項１に記載の方法。
【請求項３】
前記第２のデバイスと共有するために前記第１の特徴テンプレートに関する前記関連情報の全部、または一部が使用可能であるか、あるいはいずれもが使用可能でないかを前記決定することは、前記認証情報と前記登録情報を比較することに少なくとも部分的に基づいて、前記関連情報のサブセットが前記第２のデバイスと共有するために使用可能であると決定することを備え、
前記アクセス指示を前記第２のデバイスに前記返信することは、前記明示的な肯定応答と前記第１の特徴テンプレートに関する前記関連情報の前記サブセットとを前記第２のデバイスに返信することを備える、請求項１に記載の方法。
【請求項４】
第２のデバイスと共有するために前記第１の特徴テンプレートに関する前記関連情報の全部、または一部が使用されるか、あるいはいずれもが使用可能でないかを前記決定することは、前記認証情報と前記登録情報を比較することに少なくとも部分的に基づいて、前記第１の特徴テンプレートに関する前記関連情報のいずれも前記第２のデバイスと共有するために使用可能でないと決定することを備え、
前記アクセス指示を前記第２のデバイスに前記返信することは、前記明示的な否定応答を返信することを備える、請求項１に記載の方法。
【請求項５】
前記第１の画像情報を前記受信することは、前記第１の画像を受信することを備え、前記方法は、
前記第１の画像から第１の特徴データを抽出することと、
前記抽出された第１の特徴データに少なくとも部分的に基づいて前記第１の画像についての前記第１の特徴テンプレートを作成することと
をさらに備え、
ここにおいて、前記第１の特徴テンプレートを前記記憶し前記相関付けることは、前記第１の画像または前記抽出された第１の特徴データのうちの少なくとも１つにさらに関連する、請求項１に記載の方法。
【請求項６】
前記特徴データを前記抽出することは、パラメトリックデータを抽出することを備える、請求項５に記載の方法。
【請求項７】
前記第１の画像情報を前記受信することは、前記第１の特徴テンプレートを受信することを備える、請求項１に記載の方法。
【請求項８】
前記第１の特徴テンプレートおよび前記第２の特徴テンプレートは被覆特徴テンプレート（ＳＦＴ）である、請求項１に記載の方法。
【請求項９】
サーバによって、画像に関連する情報へのアクセスを提供するためのコンピュータ実行可能コードを記憶する非一時的なコンピュータ可読媒体であって、前記コンピュータ実行可能コードは、
第１の画像情報と、登録情報と、第１の画像に関する関連情報とを第１のデバイスから受信するためのコードと、
前記第１の画像情報に関連する第１の特徴テンプレートと、前記登録情報と、前記第１の画像に関する前記関連情報とを記憶し相関付けするためのコードと、
第２の画像についての第２の特徴テンプレートと要求に対する信頼を確立するための情報を第２のデバイスから受信するためのコードと、ここにおいて、前記信頼を確立するための情報は前記第２のデバイスと関連する認証情報を備える、
前記第１の特徴テンプレートと前記第２の画像についての前記第２の特徴テンプレートとを比較し、前記第１の特徴テンプレートがマッチングする特徴テンプレートであることを識別するためのコードと、
前記第１の特徴テンプレートが前記マッチングする特徴テンプレートであることを決定することに応答して、前記第１の特徴テンプレートに関する前記関連情報が前記第２のデバイスと共有され得るかどうかを決定するためのコードと、ここにおいて、前記決定するためのコードは、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較するためのコードを備える、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信するためのコードと、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記第１の特徴テンプレートが前記第２の特徴テンプレートに対する前記マッチングする特徴テンプレートであることを識別することを比較するための前記コードを前記第１のデバイスに通知するためのコードと、
を備える、
非一時的なコンピュータ可読媒体。
【請求項１０】
サーバによって、画像に関連する情報へのアクセスを提供するための装置であって、
第１の画像情報と、登録情報と、第１の画像に関する関連情報とを第１のデバイスから受信するための手段と、
前記第１の画像情報に関連する第１の特徴テンプレートと、前記登録情報と、前記第１の画像に関する前記関連情報とを記憶し相関付けるための手段と、
第２の画像についての第２の特徴テンプレートと要求に対する信頼を確立するための情報を第２のデバイスから受信するための手段と、ここにおいて、前記信頼を確立するための情報は前記第２のデバイスと関連する認証情報を備える、
前記第１の特徴テンプレートと前記第２の画像についての前記第２の特徴テンプレートとを比較し、前記第１の特徴テンプレートがマッチングする特徴テンプレートであることを識別するための手段と、
前記第１の特徴テンプレートが前記マッチングする特徴テンプレートであることを決定することに応答して、前記第１の特徴テンプレートに関する前記関連情報が前記第２のデバイスと共有され得るかどうかを決定するための手段と、ここにおいて、前記決定するための手段は、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較するための手段を備える、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信するための手段と、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記第１の特徴テンプレートが前記第２の特徴テンプレートに対する前記マッチングする特徴テンプレートであることを前記比較識別するための手段を前記第１のデバイスに通知するための手段と、
を備える、装置。
【請求項１１】
サーバによって、画像に関連する情報へのアクセスを提供するための装置であって、
第１の画像情報と、登録情報と、第１の画像に関する関連情報とを第１のデバイスから受信し、
前記第１の画像情報に関連する第１の特徴テンプレートと、前記登録情報と、前記第１の画像に関する前記関連情報とを記憶し相関付けるように構成された登録構成要素と、
被覆特徴テンプレート（ＳＦＴ）比較構成要素であって、
第２の画像についての第２の特徴テンプレートと要求に対する信頼を確立するための情報を第２のデバイスから受信し、ここにおいて、前記信頼を確立するための情報は前記第２のデバイスと関連する認証情報を備える、
前記第１の特徴テンプレートと前記第２の画像についての前記第２の特徴テンプレートとを比較し、前記第１の特徴テンプレートがマッチングする特徴テンプレートであることを識別し、
前記第１の特徴テンプレートが前記マッチングする特徴テンプレートであることを決定し、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較するように構成されていることを含むことに応答して、前記第１の特徴テンプレートに関する前記関連情報が前記第２のデバイスと共有され得るかどうかを決定し、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信し、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記第１の特徴テンプレートが前記第２の特徴テンプレートに対する前記マッチングする特徴テンプレートであることを識別する前記ＳＦＴ比較構成要素を前記第１のデバイスに通知する、
ように構成された、ＳＦＴ比較構成要素と、を備える、装置。
【請求項１２】
前記第２のデバイスと共有するために前記第１の特徴テンプレートに関する前記関連情報の全部、または一部を使用する、あるいはいずれもが使用しないかどうかを決定するように構成された前記ＳＦＴ比較構成要素は、前記認証情報と前記登録情報を比較することに少なくとも部分的に基づいて、前記関連情報の全部が前記第２のデバイスと共有するために使用可能であると決定するようにさらに構成され、
前記アクセス指示を前記第２のデバイスに返信するように構成された前記ＳＦＴ比較構成要素は、前記明示的な肯定応答と前記第１の特徴テンプレートに関する前記関連情報の全部とを前記第２のデバイスに返信するようにさらに構成される、請求項１１に記載の装置。
【請求項１３】
前記第２のデバイスと共有するために、前記第１の特徴テンプレートに関する前記関連情報の全部、または一部が使用可能であるか、あるいはいずれもが使用可能でないかを決定するように構成された前記ＳＦＴ比較構成要素は、前記認証情報と前記登録情報を比較することに少なくとも部分的に基づいて、前記関連情報のサブセットが前記第２のデバイスと共有するために使用可能であると決定するようにさらに構成され、
前記アクセス指示を前記第２のデバイスに返信するように構成された前記ＳＦＴ比較構成要素は、前記明示的な肯定応答と前記第１の特徴テンプレートに関する前記関連情報の前記サブセットとを前記第２のデバイスに返信するようにさらに構成される、請求項１１に記載の装置。
【請求項１４】
前記第２のデバイスと共有するために、前記第１の特徴テンプレートに関する前記関連情報の全部、または一部が使用可能であるか、あるいはいずれもが使用可能でないかを決定するように構成された前記ＳＦＴ比較構成要素は、前記認証情報と前記登録情報を比較することに少なくとも部分的に基づいて、前記第１の特徴テンプレートに関する前記関連情報のいずれも前記第２のデバイスと共有するために使用可能ではないと決定するようにさらに構成され、
前記アクセス指示を返信するように構成された前記ＳＦＴ比較構成要素は、前記明示的な否定応答を返信するようにさらに構成される、請求項１１に記載の装置。
【請求項１５】
前記第１の画像情報を受信するように構成された前記登録構成要素は、前記第１の画像を受信するようにさらに構成され、前記装置は、
前記第１の画像から第１の特徴データを抽出し、
前記抽出された第１の特徴データに基づいて前記第１の画像についての前記第１の特徴テンプレートを作成するように構成された特徴テンプレート構成要素をさらに備え、ここにおいて、前記登録構成要素は、前記第１の画像または前記抽出された第１の特徴データのうちの少なくとも１つに関連する前記第１の特徴テンプレートを記憶し相関付けるようにさらに構成される、請求項１１に記載の装置。
【請求項１６】
前記第１の特徴データを抽出するように構成された前記特徴テンプレート構成要素はパラメトリックデータを抽出するようにさらに構成される、請求項１５に記載の装置。
【請求項１７】
前記第１の特徴テンプレートと前記第２の特徴テンプレートはＳＦＴである、請求項１５に記載の装置。
【請求項１８】
前記第１の画像情報を受信するように構成された前記登録構成要素は、前記第１の特徴テンプレートを受信するようにさらに構成される、請求項１１に記載の装置。